(57)【要約】【課題】            光ファイバセンサのファイバユニットの検出端部の保護構造を強度的に強い構造とする。【解決手段】        光ファイバユニット１の検出端部３の構造を、光ファイバを同軸心位置に固定状態に通した金属製の先端側軸部４と該軸部の基端部側を固定状態に被着した金属製の口金軸部５とで構成し、前記先端側軸部は前記光ファイバを固定状態に被覆して該ファイバを保護するファイバ保護パイプ４ａと該ファイバ保護パイプの外周に被せて該ファイバ保護パイプを補強する補強パイプ４ｂによる二重パイプ保護構造とした。【選択図】          図１
0003151199.tif 000002
【実用新案登録請求の範囲】
【請求項１】
単線の光ファイバの一端側の検出端部が被検出物に向けられ、この光ファイバの他端側の接続端部がアンプユニットに接続される光ファイバセンサにおける光ファイバユニットであり、この光ファイバユニットの前記検出端部を、前記光ファイバを同軸心位置に固定状態に通した金属製の先端側軸部と該軸部の基端部側を固定状態に被着した金属製の口金軸部とで構成し、前記先端側軸部は前記光ファイバを固定状態に被覆して該ファイバを保護する金属製のファイバ保護パイプと該ファイバ保護パイプの外周に固定状態に被せて該ファイバ保護パイプを補強する金属製の補強パイプによる二重パイプ保護構造としたことを特徴とする光ファイバセンサのファイバユニットにおける検出端部の保護構造。
【請求項２】
前記補強パイプは前記ファイバ保護パイプの先端から所定長さ基端部方向へずらした該ファイバ保護パイプの先端部の長さ範囲を除いた該ファイバ保護パイプの基部側の外周に固定状態に被せて該ファイバ保護パイプを補強する構造とした請求項１記載の光ファイバセンサのファイバユニットにおける検出端部の保護構造。
【考案の詳細な説明】
【技術分野】
【０００１】
本考案は、一端側の検出端部が被検出物に向けられ、他端側がアンプユニットに接続される光ファイバセンサにおけるファイバユニットに係り、このファイバユニットの検出端部の保護構造に関する。
【背景技術】
【０００２】
例えばチップなどの極小の電子部品の有無を検出するため透過型の光ファイバセンサが用いられている。透過型の光ファイバセンサは、図５にその概略構成を示すように、投光側の単線の光ファイバ２０の一端側（検出端部２０ａ）と受光側の単線の光ファイバ３０の一端側（検出端部３０ａ）を被検出物Ｓの位置に向けて対向配置し、この投光側の単線の光ファイバの他端側（接続端部２０ｂ）と受光側の単線の光ファイバの他端側（接続端部３０ｂ）をアンプユニット４０に接続し、投光側の検出端部２０ａから被検出物の位置に向けて投光された光を受光側の検出端部３０ａで受光させて被検出物の有無を検出できるようにしている。
【０００３】
この透過型の光ファイバセンサにおける従来のファイバユニットは、図５に示したように、被検出物の位置に向けて固定配置される検出端部を、細径のファイバの先端部を保護する薄層で一重の保護パイプ２１と該パイプの基端部側を固定した口金部２２とで構成し、この薄層で一重の保護パイプ２１のみで細径のファイバ先端部を保護する構造であったため、特に細径のファイバ先端部の保護構造としては強度的に弱いものであった。
【考案の概要】
【考案が解決しようとする課題】
【０００４】
このように、従来の光ファイバユニットの検出端部では、ファイバ先端部の保護構造としては強度的に弱いものであったため、ファイバの先端部は損傷されやすく、比較的小さな衝撃によってもファイバの先端部形状が変形してしまう弊害があった。
【０００５】
本考案は、このような実情に鑑み、光ファイバユニットの検出端部を強度的に強い保護構造とすることを目的とし、よって、ファイバの先端部を損傷されにくくし、衝撃によってもファイバの先端部形状が変形されにくくすることを目的とする。
【課題を解決するための手段】
【０００６】
前記の目的を達成するため、本考案は、単線の光ファイバの一端側の検出端部が被検出物に向けられ、この光ファイバの他端側の接続端部がアンプユニットに接続される光ファイバセンサにおける光ファイバユニットであり、この光ファイバユニットの前記検出端部を、前記光ファイバを直線状の同軸心位置に固定状態に通した金属製（ステンレス製）の先端側軸部と該軸部の基端部側を固定状態に被着した金属製（ステンレス製）の口金軸部とで構成し、前記先端側軸部は前記光ファイバを固定状態に被覆して該ファイバを保護する金属製（ステンレス製）のファイバ保護パイプと該ファイバ保護パイプの外周に固定状態に被せて該ファイバ保護パイプを補強する金属製（ステンレス製）の補強パイプによる二重パイプ保護構造としたことを特徴とする光ファイバセンサのファイバユニットにおける検出端部の保護構造を提供する。
【０００７】
そして、前記補強パイプは前記ファイバ保護パイプの先端から所定長さ基端部方向へずらした該ファイバ保護パイプの先端部の長さ範囲を除いた該ファイバ保護パイプの基部側の外周に固定状態に被せて該ファイバ保護パイプを補強する構造とした光ファイバセンサのファイバユニットにおける検出端部の保護構造を提供する。
【考案の効果】
【０００８】
本考案によれば、光ファイバユニットの検出端部の先端側軸部の構造を、光ファイバを固定状態に被覆して該ファイバを保護する金属製（ステンレス製）のファイバ保護パイプと該ファイバ保護パイプの外周に固定状態に被せて該ファイバ保護パイプを補強する金属製（ステンレス製）の補強パイプによる二重パイプ保護構造としたため、光ファイバの先端部を保護するパイプ保護構造の強度を上げることができ、細径の光ファイバの先端部を効果的に保護できる。よって、ファイバの先端部を損傷されにくくすることができ、衝撃によってもファイバの先端部形状が変形されにくくすることができる。
【図面の簡単な説明】
【０００９】
【図１】本考案のファイバユニットの一部縦断正面図である。
【図２】図１のＡ−Ａ矢視線による拡大縦断面図である。
【図３】図１のＢ−Ｂ矢視線による拡大縦断面図である。
【図４】本考案の検出端部の取付け状態を説明的に示す概略正面図である。
【図５】従来の透過型の光ファイバセンサの概略を説明的に示す正面図である。
【考案を実施するための形態】
【００１０】
本考案の実施形態を図面に基づき説明する。図１は、単線の光ファイバ２（破線で示した）の一端側の検出端部３が被検出物（図示しない）に向けられ、この光ファイバ２の他端側の接続端部１０がアンプユニット（図示しない）に接続される透過型の光ファイバセンサにおける光ファイバユニット１を示している。
【００１１】
図１〜図３に示したように、前記検出端部３は、断面円形の前記光ファイバ２を直線状の同軸心位置に固定状態に通したステンレス製の先端側軸部４と該軸部４の基端部側を同軸心上で軸長さ方向に固定状態に被着したステンレス製の口金軸部５とで構成し、前記先端側軸部４は断面円形の前記光ファイバ２を固定状態に被覆して該ファイバを保護するステンレス製の円管形状のファイバ保護パイプ４ａと該ファイバ保護パイプ４ａの外周に固定状態に被せて該ファイバ保護パイプ４ａを補強するステンレス製の円管形状の補強パイプ４ｂによる二重パイプ保護構造としてある。このように先端側軸部４をファイバ保護パイプ４ａと補強パイプ４ｂとの二重パイプ保護構造にしたことによって、先端側軸部４の強度を飛躍的に向上させている。
【００１２】
図１及び図３に示したように、略円筒形状の前記口金軸部５の内径は前記先端側軸部４の外径（すなわち前記補強パイプ４ｂの外径）より拡径とし、この口金軸部５の先端側の軸部内の軸心位置に前記先端側軸部４（ファイバ保護パイプ４ａ，補強パイプ４ｂ）の基端部側をステンレス製の管状スペーサ６を介して固定状態に被着してある。
【００１３】
図１に示した検出端部３の実施形態では、前記補強パイプ４ｂは前記ファイバ保護パイプ４ａの先端部側の外周を除いた該ファイバ保護パイプ４ａの基部側の外周に固定状態に被せて該ファイバ保護パイプを補強する構造としてある。すなわち、前記補強パイプ４ｂは前記ファイバ保護パイプ４ａの先端から所定長さ基端部方向へずらした該ファイバ保護パイプ４ａの先端部の長さ範囲を除いた該ファイバ保護パイプ４ａの基部側の外周に固定状態に被せて該ファイバ保護パイプを補強する構造としてある。このように前記ファイバ保護パイプ４ａと前記補強パイプ４ｂを二重に被せた範囲の外径に比べてファイバ保護パイプ４ａのみ被せた範囲の外径を細径とした構造にすることによって、図４に示した検出端部の取付け支持構造体１５に検出端部３を的確に取付けできるようにしてある。前記ファイバ保護パイプ４ａ（補強パイプ４ｂを被せてない先端側のファイバ保護パイプ４ａの外径）は、図４に示した取付け支持構造体１５の検出側の細めの取付け孔１５ａ内にぴったり嵌る外径に形成してある。図４に示したように、検出端部３の口金軸部５は取付け支持構造体１５の太目の取付け孔１５ｂ内に図示しない締付けボルトなどのネジ止め手段によって固定してある。図４において、下側は投光側の検出端部３を、上側は受光側の検出端部３を示し、対向配置した両検出端部３，３の間を矢印方向に移動通過するチップなどの被検出物Ｓの有無を検出できるようにしている。
【００１４】
なお、前記口金軸部５から前記接続端部１０に至る光ファイバ部分は従来と同様に可撓性の被覆チューブ８で被覆してある。図１において、２ａは光ファイバ２の検出側の端部を、２ｂはアンプユニットに接続される光ファイバ２の接続側の端部を示している。
【実施例１】
【００１５】
図１に示した実施形態において、前記先端側軸部４を構成する一重目のファイバ保護パイプ４ａの外径は約０．２ｍｍ、内径は約０．１２ｍｍ、二重目の補強パイプ４ｂの外径は約０．４ｍｍとしてある。この一重目のファイバ保護パイプ４ａの円管内に極細径の光ファイバ２を固定状態に通してある。また、ファイバ先端部の全長さをカバーする前記ファイバ保護パイプ４ａの軸長さ（先端から口金軸部５までの軸長さ）は約２０ｍｍとし、前記補強パイプ４ｂは前記ファイバ保護パイプ４ａの先端から５ｍｍ程度後ろにずらした長さ範囲のファイバ保護パイプ４ａの外周に固定的に被せてある。また、同図において、前記口金軸部５の外径は約１．５ｍｍとしてある。本考案の検出端部の構造はこれらの数値に限定されないことは勿論である。
【符号の説明】
【００１６】
１  光ファイバユニット
２  光ファイバ
３  検出端部
４  先端側軸部
４ａ  ファイバ保護パイプ
４ｂ  補強パイプ
５  口金軸部
６  管状スペーサ
８  被覆チューブ
１０  接続端部
【図１】
0003151199.tif 000003
【図２】
0003151199.tif 000004
【図３】
0003151199.tif 000005
【図４】
0003151199.tif 000006
【図５】
0003151199.tif 000007